(57)【要約】【課題】本開示は、ポンプモータに異物が挟み込まれることを抑制できる洗濯機を提供する。【解決手段】本発明のポンプユニットは、軸封装置１０１と、軸封装置１０１を固定する固定部材１０２と、軸封装置１０１で支持する回転軸１０３と、回転軸１０３の一端に取り付けられているインペラ１０４を有するポンプモータ１０において、ポンプモータ１０の取付姿勢を傾け、回転軸１０３をインペラ方向に延長した回転軸延長線が水平面と鋭角を成すことで、インペラ１０４と固定部材１０２との間の間隙部への異物の侵入を防止することを特徴としている。これにより、非動作時に異物が間隙部に沈殿することを防ぎ、重力により異物が間隙部から落下することで、間隙部への異物の挟み込みを防ぐ。【選択図】図２
2019208861.tif 000002
【特許請求の範囲】
【請求項１】
機器本体と、前記機器本体に接続されるポンプと、を備え、前記ポンプは、前記機器本体に固定されるケーシングと、回転軸が水平面と為す角度が鋭角となるように前記ケーシングの側面に固定されるポンプモータと、を有する、洗濯機。
【請求項２】
前記ケーシングは、前記ポンプモータと接続するポンプモータ取付部と、前記機器本体に固定され、前記ポンプモータに液体を導入する導入管部を有し、前記ポンプモータ取付部の前記ポンプモータ側の面は、前記回転軸に対して略垂直となるように形成され、前記ポンプモータ取付部の前記導入管部の側の面は、前記導入管部と略垂直に接続されている、請求項１に記載の洗濯機。
【請求項３】
前記ケーシングは、前記機器本体と当接する固定台座と、前記固定台座と接続され、前記ポンプモータに液体を導入する導入管部を有し、前記固定台座と前記導入管部の接続面は、前記回転軸に対して平行に形成される、請求項１に記載の洗濯機。
【発明の詳細な説明】
【技術分野】
【０００１】
本発明は、ポンプで液体を輸送する洗濯機に関する。
【背景技術】
【０００２】
特許文献１は、インペラとカバー体との間の間隙に異物が挟み込まれ、インペラが不作動となることを抑制する液体ポンプを開示する。この液体ポンプは、磁極を備えたステータと、先端部にインペラを有するロータユニットと、ロータユニットにより外嵌支持されるロータ軸と、ステータ、ロータユニット及びロータ軸が配置されるハウジングと、ハウジングの上方を覆うように設けられるカバー体と、を備える。また、ロータ軸とカバー体との間には、間隙が存在する。ロータユニットは、ロータ軸に対して軸芯方向に移動自在であり、ステータが非励磁状態の時は、励磁状態の時よりも間隙が広くなるように構成される。
【先行技術文献】
【特許文献】
【０００３】
【特許文献１】特開２０１２−８７６８６号公報
【発明の概要】
【発明が解決しようとする課題】
【０００４】
特許文献１の液体ポンプを用いた洗濯機では、間隙を広げることで、インペラ回転による輸送液体の圧力上昇が抑えられてしまう。そのため、液体ポンプの輸送する液体の流量が減少し、揚程が低下するという問題があった。本開示は、ポンプモータを傾いた状態で支持するケーシングを有するポンプを備えることで、ポンプモータに異物が侵入することを抑制する洗濯機を提供する。
【課題を解決するための手段】
【０００５】
本開示における洗濯機は、機器本体と、機器本体と接続されるポンプと、を備える。また、ポンプは、機器本体に固定されるケーシングと、回転軸が水平面と為す角度が鋭角となるようにケーシングの側面に固定されるポンプモータと、を有する。
【発明の効果】
【０００６】
本開示における洗濯機は、ポンプモータに異物が侵入することを抑制できる。
【図面の簡単な説明】
【０００７】
【図１】実施の形態１における洗濯機の洗濯槽、ポンプユニット及びホースの模式図
【図２】実施の形態１における洗濯機のポンプユニットの模式図
【図３】実施の形態１における洗濯機のポンプモータの外観図
【図４】実施の形態１における洗濯機のポンプモータの断面図
【図５】実施の形態２における洗濯機のポンプユニットの模式図
【図６】実施の形態３における洗濯機のポンプユニットの模式図
【図７】実施の形態４における洗濯機のポンプユニットの模式図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより特許請求の範囲に記載の主題を限定することを意図していない。
【００１０】
（実施の形態１）
実施の形態１における洗濯機のポンプユニットは、軸封装置と、軸封装置を固定する固定部材と、軸封装置で支持する回転軸と、回転軸の一端に取り付けられているインペラを有するポンプモータと、傾斜したポンプモータ取付部を有するポンプケーシングを備えることで、ポンプモータ取付姿勢を回転軸が水平面に対して為す角が鋭角となるように傾け、間隙部への異物の侵入を防止することを特徴とする。
【００１１】
以下、図１〜４を用いて、実施の形態１を説明する。図１は、実施の形態１における洗濯機の洗濯槽、ポンプユニット及びホースの模式図、である。
【００１２】
洗濯機は、縦型洗濯機である。縦型洗濯機の構造については、既によく知られているため、詳細は省略する。洗濯槽５０は、有底円筒形状に形成されており、洗濯物を収容する。ポンプユニット３０は、洗濯槽５０の下部に接続されており、ホース５１は、ポンプユニット３０の下方に接続されている。ポンプユニット３０は、ホース５１を介して、洗濯槽の内部の洗濯水を洗濯機の外部へと排水する。以上のように、図１において、洗濯機は、機器本体である洗濯槽５０と、ポンプであるポンプユニット３０と、ホース５１と、により構成される。
【００１３】
続いて、ポンプユニット３０を説明する。図２は、実施の形態１における洗濯機のポンプユニットの模式図である。
【００１４】
図２において、ポンプユニット３０は、ポンプケーシング２０と、ポンプモータ１０と、により構成されている。
【００１５】
吸水筒２０５は、少なくとも一部が洗濯槽５０の内部に貫入するように配置され、固定台座２０４は、吸水筒２０５の下部に形成される。固定台座２０４は、洗濯槽５０とビス止め又は爪嵌合で固定されることで、ポンプケーシング２０を支持する。主管２０３は、固定台座２０４の下部に形成され、鉛直下方に延伸するように設けられる。主管２０３は、有底円筒状に形成されており、主管２０３の側面には、固定台座２０４と底の間に位置するように、円筒状の枝管２０２が形成される。従って、重量の大きな異物は、例えばクリップや硬貨など、主管２０３の底に沈殿するようになっている。枝管２０２は、水平方向に延伸し、ポンプモータ取付部２０１に接続する。ポンプモータ取付部２０１の下部には、開口である排水口２０６が設けられ、ホース５１と接続されている。以上のように、図２において、ポンプケーシング２０は、固定台座２０４と、吸水筒２０５と、主管２０３と、枝管２０２と、排水口２０６と、により構成される。
【００１６】
次に、図３及び図４を用いて、ポンプモータ１０について説明する。図３は、実施の形態１における洗濯機のポンプモータの外観図、図４は、実施の形態１における洗濯機のポンプモータの断面図、である。
【００１７】
インペラ１０４は、羽根状に形成され、回転軸１０３の一端に固定される。回転軸１０３は、ポンプモータ１０の内部から延伸するように、回転可能に配置される。固定部材は、ポンプモータ１０の内部を覆うように設けられ、回転軸１０３は、固定部材１０２に設けられた孔を貫通するように配置される。固定部材１０２の孔と回転軸１０３の間には、間隙部１０５が存在する。軸封装置１０１は、固定部材１０２と比較してポンプモータ１
０の内側に配置されている。軸封装置１０１は、回転軸１０３を外嵌支持するとともに、ポンプモータ１０の内側に細かな異物、例えば、泥や砂、金属粉など、が混入することを防ぐ。以上のように、図３及び図４において、ポンプモータ１０は、軸封装置１０１と、固定部材１０２と、回転軸１０３と、インペラ１０４と、により構成される。
【００１８】
図２を用いて、ポンプケーシング２０とポンプモータ１０の接続部分について説明する。図２では、回転軸が水平に対して為す角を明示するため、回転軸をインペラ方向に延長した回転軸延長線１０６を定義した。
【００１９】
図２において、ポンプモータ１０は、インペラ１０４がポンプモータ取付部２０１の内部に配置されるように、ビス止め又は爪嵌合によりポンプケーシング２０と固定されている。ポンプモータ１０は、回転軸延長線１０６が水平面と∠ａを為すように、傾斜して支持されている。なお、∠ａは、０°より大きく９０°より小さい角度、すなわち鋭角である。
【００２０】
ポンプモータ取付部２０１は、ポンプモータ１０側の面が回転軸延長線１０６に対して垂直になるように形成され、枝管２０２とは水平に接続されている。これにより、ポンプユニット３０は、洗濯槽５０に対して垂直に固定され、且つポンプモータ１０は傾斜して保持することを可能としている。
【００２１】
以上のように構成された洗濯機について、以下その動作、作用を説明する。
【００２２】
ポンプモータ１０は、ＯＮ状態になるとインペラ１０４を回転させ、吸水筒２０５から洗濯槽の内の液体を取り入れ、主管２０３、枝管２０２、排水口２０６を通して、ホース５１に液体を送り込む。この時、洗濯槽内の液体は、洗濯物に付着していた泥、砂などの異物を含んでいる。液体が輸送される時、液体中に浮遊する異物もポンプユニット３０を通過し、液体と一緒にホース５１から排出される。これにより、ポンプユニット３０は、洗濯槽内の液体を輸送し、洗濯槽５０内の水の循環、および、洗濯の終了時の汚水の排水を実行する。
【００２３】
ポンプモータは、ＯＦＦ状態となると、インペラを停止する。すると、ホース５１内に残された液体は、ポンプユニット３０の内部に逆流する。これにより、洗濯終了後のポンプユニット３０の内部は、液体が溜まった状態になる。液体中に浮遊していた細かい異物は、液体が滞留しているため、沈殿する。
【００２４】
次に、沈殿した異物と間隙部の関係について説明する。
【００２５】
間隙部１０５を有するポンプモータ１０の場合、ポンプモータがＯＦＦになると間隙部１０５、特に、回転軸１０３の下方である部分、に異物が積層する。すると、インペラ１０４と間隙部１０５の間で異物を挟み込み、モータロック、回転時の異音を発生する虞がある。間隙部１０５のない構造のポンプモータ１０を新規で開発する場合、多額の開発費用、多くの開発工数が必要となる。ポンプケーシング２０の形状を変更するだけで間隙部１０５に異物が挟み込まれることを防ぐことができれば、既存のポンプモータを流用することができるので、ポンプユニットの製造原価を低減することができる。
【００２６】
図２に示すように、本実施の形態を有するポンプユニット３０は、ポンプモータ１０を∠ａで傾斜するように保持している。これにより、ポンプモータ１０の非動作時に異物が沈殿したとしても、異物が重力により間隙部１０５から落下するため、間隙部１０５に異物が積層しにくくなっている。従って、間隙部１０５に異物が挟み込まれることを防ぐことができるため、ポンプケーシング２０の形状によりポンプモータ１０の回転不良を抑制
することができる。
【００２７】
以上のように、本実施の形態において、洗濯機は、洗濯槽５０と、ポンプユニット３０と、を備える。ポンプユニット３０は、洗濯槽５０と接続される。また、ポンプユニット３０は、洗濯槽５０に固定されるポンプケーシング２０と、回転軸が水平面と為す角度が鋭角となるようにポンプケーシング２０の側面に固定されるポンプモータ１０と、を有する。これにより、ポンプモータ１０が停止している時、沈殿した液体中の塵が間隙部１０５に積層することを防止できる。そのため、本開示における洗濯機は、ポンプモータに異物が混入することを抑制できる。
【００２８】
本実施の形態のように、洗濯機は、ポンプケーシング２０は、ポンプモータ１０と接続するポンプモータ取付部２０１と、洗濯槽５０に固定され、ポンプモータ１０に液体を導入する固定台座２０４、吸水筒２０５、主管２０３及び枝管２０２を有し、ポンプモータ取付部２０１のポンプモータ１０側の面は、回転軸に対して略垂直となるように形成され、ポンプモータ取付部２０１の枝管２０２側の面は、枝管２０２と略垂直に接続されているようにしてもよい。これにより、ポンプモータ１０を設計変更することなく、ポンプモータ１０の間隙部１０５に沈殿した液体中の塵が積層することを防止できる。そのため、製造原価を抑制することができるとともに、ポンプモータの回転不良や異音発生を防止する。
【００２９】
（実施の形態２）
実施の形態２におけるポンプユニットは、枝管とポンプモータ取付部の接続面を傾けることで、ポンプモータ取付姿勢を傾け、間隙部への異物の侵入を防止することを特徴とする。実施の形態２は、実施の形態１にかかる洗濯機と比較すると、少なくとも、ポンプモータ取付部２０１と枝管２０２の形状が異なる。従って、ポンプモータ取付部２０１と枝管２０２のみを説明し、他は実施の形態１の構造を援用する。
【００３０】
図５に示すように、本実施の形態を有するポンプユニット３０は、枝管２０２のポンプモータ取付部２０１側の面が回転軸延長線１０６と垂直となるように、枝管２０２とポンプモータ取付部２０１が接続されている。従って、ポンプケーシング２０に固定されているポンプモータ１０は、回転軸延長線１０６が水平面と∠ａを為すように、傾斜して保持されている。
【００３１】
これにより、ポンプモータ１０を設計変更することなく、ポンプモータ１０の間隙部１０５に沈殿した液体中の塵が積層することを防止できる。そのため、製造原価を抑制することができるとともに、ポンプモータに異物が挟み込まれることを抑制できる。
【００３２】
（実施の形態３）
実施の形態３におけるポンプユニットは、主管が延伸する向きを傾けることで、ポンプモータ取付姿勢を傾け、間隙部への異物の侵入を防止することを特徴とする。実施の形態３は、実施の形態１〜２にかかる洗濯機と比較すると、少なくとも、主管２０３の形状が異なる。従って、主管２０３のみを説明し、他は実施の形態１の構造を援用する。
【００３３】
図６に示すように、本実施の形態を有するポンプユニット３０は、主管２０３の固定台座２０４側の接続面が回転軸延長線１０６に対して平行となるように形成されている。従って、ポンプケーシング２０に固定されているポンプモータ１０は、回転軸延長線１０６が水平面と∠ａを為すように、傾斜して保持されている。
【００３４】
これにより、ポンプモータ１０を設計変更することなく、ポンプモータ１０の間隙部１０５に沈殿した液体中の塵が積層することを防止できる。そのため、製造原価を抑制する
ことができるとともに、ポンプモータに異物が挟み込まれることを抑制できる。
【００３５】
なお、本実施の形態では、固定台座２０４と主管２０３の接続面を傾けたが、枝管２０２と主管２０３の接続面を傾けても構わない。枝管２０２の主管２０３側の接続面を、回転軸延長線１０６に対して垂直となるように形成しても構わない。
【００３６】
（実施の形態４）
実施の形態４におけるポンプは、ポンプケーシングの固定台座と主管の接続面を傾けることで、ポンプモータ取付姿勢を傾け、間隙部への異物の侵入を防止することを特徴とする。実施の形態４は、実施の形態１〜３にかかる洗濯機と比較すると、少なくとも、固定台座２０４の形状が異なる。従って、固定台座２０４のみを説明し、他は実施の形態１の構造を援用する。
【００３７】
図７に示すように、本実施の形態を有するポンプユニット３０は、主管２０３が延伸する方向が回転軸延長線１０６と垂直になるように形成されている。従って、ポンプケーシング２０に固定されているポンプモータ１０は、回転軸延長線１０６が水平面と∠ａを為すように、傾斜して保持される。
【００３８】
これにより、ポンプモータ１０を設計変更することなく、ポンプモータ１０の間隙部１０５に沈殿した液体中の塵が積層することを防止できる。そのため、製造原価を抑制することができるとともに、ポンプモータに異物が挟み込まれることを抑制できる。
【００３９】
（他の実施の形態）
以下、他の実施の形態を例示する。
【００４０】
実施の形態１〜４では、洗濯機の一例として衣類を洗浄する縦型洗濯機を説明した。洗濯機は、ポンプによって液体を輸送する機器であればよい。したがって、本発明は縦型洗濯機に限定されず、例えば、靴、食器、産業部品などを洗浄する洗濯機であってもよい。
【００４１】
実施の形態４では、ポンプケーシングの固定台座を傾ける構成の一例としてポンプケーシング２０の固定台座２０４の形状に特徴を有する構成を説明した。ポンプケーシングの固定台座を傾ける構成は、ポンプケーシングの固定台座の形状に特徴を有するものに限定されない。従って、ポンプケーシングと洗濯槽の間に、別部品であるスペーサを挟む構成にしてもよい。スペーサは、上面は洗濯槽に、下面は固定台座に固定される。固定された状態で、スペーサの上面は水平面と平行であり、スペーサの下面は回転軸と平行である。これにより、ポンプケーシングは、ポンプモータを傾斜して支持する。また、スペーサを設ける構成ではなく、機器本体側の接続面を回転軸と平行にすることで、ポンプケーシング２０を傾斜して支持する構成にしてもよい。
【００４２】
実施の形態１〜４では、ポンプケーシングの一例として固定台座、主管、枝管、ポンプモータ取付部、排水口により構成されたポンプケーシングを説明した。ポンプケーシングは、少なくとも、機器本体と接続される固定台座と、機器本体から液体を導入する導入管部と、ポンプモータと接続されるポンプモータ取付部とを備えていればよい。従って、導入幹部として主管や枝管は無くてもよく、また、他の構成を備えていてもよい。
【００４３】
なお、上述の実施の形態は、本開示における技術を例示するためのものであるから、特許請求の範囲またはその均等の範囲において種々の変更、置き換え、付加、省略などを行うことができる。
【産業上の利用可能性】
【００４４】
本開示は、流体を循環させるポンプを有する洗浄機器に適用可能である。具体的には、縦型洗濯機、二槽式洗濯機、食器洗浄機、産業用洗浄機器などに、本開示は適用可能である。また、ポンプにより輸送される流体としては、水、オイル、有機溶剤、不凍液に代表される混合溶媒などを用いることができる。
【符号の説明】
【００４５】
１０  ポンプモータ
１０１  軸封装置
１０２  固定部材
１０３  回転軸
１０４  インペラ
１０５  間隙部
１０６  回転軸延長線
２０  ポンプケーシング
２０１  ポンプモータ取付部
２０２  枝管
２０３  主管
２０４  固定台座
２０５  吸水筒
２０６  排水口
３０  ポンプユニット
５０  洗濯槽
【図１】
2019208861.tif 000003
【図２】
2019208861.tif 000004
【図３】
2019208861.tif 000005
【図４】
2019208861.tif 000006
【図５】
2019208861.tif 000007
【図６】
2019208861.tif 000008
【図７】
2019208861.tif 000009